(57)【要約】      （修正有）【課題】発光機能付き独楽の提供。【解決手段】相互に係合されたカバー１０と回転体２０により中空部分が形成され、カバーに透光部１３が設けられ、回転体内に発光体を具えた発光セット、導電部品及び電池セットが設けられ、独楽が未回転時に、導電部品と発光セットが不接触で、カバーの透光部に隣接する発光体と電池セットが未通電状態とされ、独楽が回転後に、導電部品が遠心力により移動して発光セットと接触して導電形態を形成し、発光体を通電させて発光させ、独楽の回転が組み合わされて光輪が形成され、大幅に娯楽効果が向上され、子供の好奇心を刺激して学習成果を高める目的を達成する。【選択図】図１
0003110026.tif 000002
【実用新案登録請求の範囲】
【請求項１】
カバー、回転体、回転体内に設けられた発光セット、導電部品及び電池セットを具え、  該カバーに握持部及び透光部が設けられ、
該回転体に回転部、電池セットを収容する電池溝、電池溝の一端に隣接する活動溝、活動溝の一側壁に設けられた側係止溝、及び活動溝にあって電池溝の別端に設けられたダブル係止溝が設けられ、
発光セットが電池溝両端に設置された二つの通電片、側係止溝内に設置された側リード片、ダブル係止溝に設置されたダブルリード片、発光体及び電線を具え、
回転体の活動溝内に遠心力を受ける時に側リード片とダブルリード片に共に接触可能で側リード片を制圧し変形させてダブルリード片に接触させる導電部品が設けられたことを特徴とする、発光機能付き独楽。
【請求項２】
請求項１記載の発光機能付き独楽において、発光セットの発光体の一端がカバーの透光部と接触して別端に二つの電線が接続され、そのうち一方の電線の別端が通電片に接続され、もう一方の電線の自由端が側リード片に接続され、且つもう一つの通電片とダブルリード片が別に電線で接続されたことを特徴とする、発光機能付き独楽。
【請求項３】
請求項２記載の発光機能付き独楽において、二つの通電片の中央に電池セットの正極と負極に緊密に接触する突起が設けられたことを特徴とする、発光機能付き独楽。
【請求項４】
請求項１記載の発光機能付き独楽において、導電部品が金属球形形態とされたことを特徴とする、発光機能付き独楽。
【請求項５】
請求項１記載の発光機能付き独楽において、導電部品が金属円柱形態とされたことを特徴とする、発光機能付き独楽。
【請求項６】
請求項１記載の発光機能付き独楽において、導電部品が非金属であるが側リード片を制圧し変形させられるものとされたことを特徴とする、発光機能付き独楽。
【請求項７】
請求項１記載の発光機能付き独楽において、カバーに設けられた係合部と回転体にあって該カバーの係合部に対応するよう設けられた係止部が、相互に係合可能な形態とされたことを特徴とする、発光機能付き独楽。
【請求項８】
請求項１記載の発光機能付き独楽において、導電部品が水銀スイッチ形態のスイッチセットとされたことを特徴とする、発光機能付き独楽。
【請求項９】
請求項１記載の発光機能付き独楽において、電池セットが水源電池とされたことを特徴とする、発光機能付き独楽。
【考案の詳細な説明】
【技術分野】
【０００１】
本考案は発光機能付き独楽に係り、特に、伝統的な独楽の中空構造内に発光セット、導電部品及び電池セットが設けられ、回転遠心力を利用してカバーの透光部に隣接する発光体を発光させ並びに回転が組合せられて光輪を形成する発光機能付き独楽に関する。
【背景技術】
【０００２】
現在周知の独楽の多くは伝統的な形態とされ、業者は重量を変化させ、重量を軽減することで使用者が独楽を回しやすいものとし、重量を増加することで使用者に手腕の力を鍛練させるものとしている。
【０００３】
また、業者はサウンド効果を加え、独楽回転時に音を発生するようにして娯楽効果を高めている。
【０００４】
以上の周知の構造は、視覚娯楽効果の点で改善できる余地がある。
【考案の開示】
【考案が解決しようとする課題】
【０００５】
本考案は独楽の視覚娯楽効果を高めるため、並びに子供の好奇心を刺激して学習効果を強化するため、発光機能付き独楽を提供するものである。
【０００６】
本考案の発光機能付き独楽は、中空構造内に発光セット、導電部品及び電池セットを設け、回転遠心力を利用して導電部品と発光セットを接続して通電状態を達成し、これによりカバーの透光部に隣接する発光体を発光させ並びに回転と組み合わせて光輪を形成するように構成される。
【課題を解決するための手段】
【０００７】
請求項１の考案は、カバー、回転体、回転体内に設けられた発光セット、導電部品及び電池セットを具え、
該カバーに握持部及び透光部が設けられ、
該回転体に回転部、電池セットを収容する電池溝、電池溝の一端に隣接する活動溝、活動溝の一側壁に設けられた側係止溝、及び活動溝にあって電池溝の別端に設けられたダブル係止溝が設けられ、
発光セットが電池溝両端に設置された二つの通電片、側係止溝内に設置された側リード片、ダブル係止溝に設置されたダブルリード片、発光体及び電線を具え、
回転体の活動溝内に遠心力を受ける時に側リード片とダブルリード片に共に接触可能で側リード片を制圧し変形させてダブルリード片に接触させる導電部品が設けられたことを特徴とする、発光機能付き独楽としている。
請求項２の考案は、請求項１記載の発光機能付き独楽において、発光セットの発光体の一端がカバーの透光部と接触して別端に二つの電線が接続され、そのうち一方の電線の別端が通電片に接続され、もう一方の電線の自由端が側リード片に接続され、且つもう一つの通電片とダブルリード片が別に電線で接続されたことを特徴とする、発光機能付き独楽としている。
請求項３の考案は、請求項２記載の発光機能付き独楽において、二つの通電片の中央に電池セットの正極と負極に緊密に接触する突起が設けられたことを特徴とする、発光機能付き独楽としている。
請求項４の考案は、請求項１記載の発光機能付き独楽において、導電部品が金属球形形態とされたことを特徴とする、発光機能付き独楽としている。
請求項５の考案は、請求項１記載の発光機能付き独楽において、導電部品が金属円柱形態とされたことを特徴とする、発光機能付き独楽としている。
請求項６の考案は、請求項１記載の発光機能付き独楽において、導電部品が非金属であるが側リード片を制圧し変形させられるものとされたことを特徴とする、発光機能付き独楽としている。
請求項７の考案は、請求項１記載の発光機能付き独楽において、カバーに設けられた係合部と回転体にあって該カバーの係合部に対応するよう設けられた係止部が、相互に係合可能な形態とされたことを特徴とする、発光機能付き独楽としている。
請求項８の考案は、請求項１記載の発光機能付き独楽において、導電部品が水銀スイッチ形態のスイッチセットとされたことを特徴とする、発光機能付き独楽としている。
請求項９の考案は、請求項１記載の発光機能付き独楽において、電池セットが水源電池とされたことを特徴とする、発光機能付き独楽としている。
【考案の効果】
【０００８】
本考案の発光機能付き独楽は、中空構造内に発光セット、導電部品及び電池セットを設け、回転遠心力を利用して導電部品と発光セットを接続して通電状態を達成し、これによりカバーの透光部に隣接する発光体を発光させ並びに回転と組み合わせて光輪を形成するように構成され、これにより、本考案は独楽の視覚娯楽効果を高め、並びに子供の好奇心を刺激して学習効果を強化する目的を達成する。
【考案を実施するための最良の形態】
【０００９】
図１、２、３に示されるように、本考案は、カバー１０、及び回転体２０を具え、カバー１０の中央部分には握持部１１が凸設され、カバー１０の側辺に複数の突起形態の係合部１２が形成され、並びにカバー１０に光を透過させられる透光部１３が形成され、発光セット３０と隣接させられる。該回転体２０は円錐形態の回転部２１を具え、該回転部２１の円形端面側辺にあってカバー１０の係合部１２に対応する位置に該係合部１２と相互に係合し且つ凹溝形態の係止部２２が形成され、回転部２１内部の中空部分に電池溝２３が設けられ、電池溝２３の一端に隣接するように活動溝２４が設けられ、該活動溝２４の一側辺に側係止溝２５が設けられ、且つ活動溝２４の電池溝２３と反対の端部にダブル係止溝２６が設けられている。そのうち、電池溝２３、側係止溝２５或いはダブル係止溝２６は発光セット３０の係止に用いられ、活動溝２４には金属球形の導電部品４０が設置される。
【００１０】
発光セット３０は回転体２０の電池溝２３の対向する両側壁に設けられて電池セット５０を中間に挟持する通電片３１、回転体２０の側係止溝２５内に係止される側リード片３２、回転体２０のダブル係止溝２６内に係止されるダブルリード片３３、及びカバー１０の透光部１３に隣接する発光体３４を具えている。そのうち、発光体３４の一端はカバー１０の透光部１３に隣接し、別端は二つの電線３５に接続され、一方の電線３５の別端は通電片３１に接続され、もう一つの電線３５の自由端は側リード片３２に接続され、且つもう一つの通電片３１及びダブルリード片３３は別に電線３５で接続されている。Ｌ形の側リード片３２とダブルリード片３３は相互に不接触であるが、側リード片３２の一端部と側リード片３２の一部エリアは重複し、圧力を受ける時に相互に接触する形態を形成する。且つそれぞれ電池溝２３、側係止溝２５、及びダブル係止溝２６内に位置する通電片３１、側リード片３２、ダブルリード片３３は相互に不接触の形態とされる。また通電片３１の中央に突起が設けられ、緊密に電池セット５０接触できるものとされる。
【００１１】
本考案の使用状態については、図４を参照されたい。平時に独楽が未回転の時、導電部品４０は回転体２０の活動溝２４内の随意の位置にあり、独楽が回転した後、導電部品４０は回転体２０を受けて活動溝２４の辺縁に接近し、発光セット３０の側リード片３２に接触し、並びにその端部を変形させてダブルリード片３３に接触させ、通電形態を形成させ、これにより電池セット５０の電流が通電片３１より電線３５を通りダブルリード片３３に至り、さらに導電部品４０の制圧を受けた側リード片３２より電線３５を通り発光体３４に流れ、更に別の電線３５を通りもう一つの通電片３１に至り、導電の回路が形成される。これにより発光セット３０が通電状態を形成し、発光体３４が独楽回転時に発光し並びに回転により光輪を形成する。
【００１２】
また、カバー１０の係合部１２は凹溝形態とし回転体２０の係止部２２を突起形態とすることも可能で、相互に係合可能な構造形態であればいずれも採用可能である。
【００１３】
また、図５に示されるように、導電部品４０は金属円柱形態とされうるほか、非金属材料であるが遠心力を受けて側リード片３２を制圧して変形させダブルリード片３３に接触させ、発光セット３０に連通回路状態を形成させられる形態であればいずれも採用可能である。
【００１４】
また、図６、７に示されるように、導電部品４０は水銀スイッチ形態のスイッチセット４１に置換可能であり、それは全体の回転により発生する遠心力により電源に導通する機能を具備し、且つ電池セット５０は水銀電池とされ得て、また水銀電池セット５０の形態に合わせた通電片３１が組み合わされうる。
【００１５】
これにより、本考案は以下の改良目的を完成できる。
１．視覚効果を増せる：発光セット３０の発光体３４が独楽回転時に発光し、回転が組み合わされて光輪を形成し、大幅に独楽回転時の視覚効果を増すことができる。
２．学習効果を向上できる：独楽は回転時でなければ発光せず、子供の好奇心を引き起し、原理を探求する気持ちを起こさせ、大幅に学習効果を向上できる。
【図面の簡単な説明】
【００１６】
【図１】本考案の外観図である。
【図２】本考案の分解図である。
【図３】本考案の使用状態断面図である。
【図４】本考案の通電状態断面図である。
【図５】本考案の別の実施例の通電状態平面図である。
【図６】本考案の第２実施例の表示図である。
【図７】本考案の第２実施例の組合せ断面図である。
【符号の説明】
【００１７】
１０  カバー
１１  握持部
１２  係合部
１３  透光部
２０  回転体
２１  回転部
２２  係止部
２３  電池溝
２４  活動溝
２５  側係止溝
２６  ダブル係止溝
３０  発光セット
３１  通電片
３２  側リード片
３３  ダブルリード片
３４  発光体
３５  電線
４０  導電部品
４１  スイッチセット
５０  電池セット
【図１】
0003110026.tif 000003
【図２】
0003110026.tif 000004
【図３】
0003110026.tif 000005
【図４】
0003110026.tif 000006
【図５】
0003110026.tif 000007
【図６】
0003110026.tif 000008
【図７】
0003110026.tif 000009